(57)【特許請求の範囲】
【請求項１】
製造対象の電子機器の各キーごとの印刷位置データを記憶する印刷位置記憶手段と、
前記電子機器の各キーに対応して、複数の辞典名を所定の順に配列した標準キー配列情報を記憶する標準キー配列記憶手段と、
前記電子機器へ搭載する複数の辞典名を、顧客端末から受信する辞典名受信手段と、
前記辞典名受信手段により受信した複数の辞典名に対応して、前記標準キー配列情報が読み出され、当該標準配列情報に応じた標準キーボードデータを作成する標準キーボード作成手段と、
この標準キーボード作成手段により作成された標準キーボードデータを前記顧客端末に送信する標準キーボードデータ送信手段と、
前記顧客端末から、前記標準キーボードデータの複数の辞典名の配列順の変更データを受信する辞典名配列変更受信手段と、
この辞典名配列変更受信手段により受信された複数の辞典名の配列順の変更データと前記印刷位置記憶手段に記憶された各キーごとの印刷位置データとから、前記電子機器に対する各キーごとの各辞典名と印刷位置の情報であるキー印刷情報を作成するキー印刷情報作成手段と、
前記辞典名配列変更受信手段により受信された複数の辞典名の配列順の変更データをキー入力処理テーブルに記憶するとともに、当該キー入力処理テーブルに基づいて製造対象の電子機器におけるキー入力処理データを作成するキー入力処理データ作成手段と、
前記キー印刷情報作成手段により作成されたキー印刷情報に従って、前記製造対象の電子機器に対してキー印刷するキー印刷手段と、
前記辞典名受信手段により受信された辞典名に対応する辞典データおよび前記キー入力処理データ作成手段により作成されたキー入力処理データの、前記電子機器に対する書き込みを行うデータ書き込み手段と、
を備えたことを特徴とする電子機器の製造システム。
【請求項２】
前記標準キー配列情報は、前記辞典名受信手段により受信された複数の辞典名のうちの少なくとも１つの辞典名を当該辞典名の選択メニューとして表示させるためのメニューキーの配列情報を含み、
前記標準キー配列記憶手段は、前記辞典名受信手段により受信された辞典名に関し前記メニューキーの配列位置および前記選択メニューの中の辞典名の配列位置をも含んで予め設定された標準のキー配列データを記憶する、
ことを特徴とする請求項１に記載の電子機器の製造システム。
【請求項３】
さらに、
顧客端末から電子機器のハードウエアの種類の選択情報を受信する機器ハード選択情報受信手段を備え、
前記キー印刷手段は、前記キー印刷情報作成手段により作成されたキー印刷情報に従って、前記機器ハード受信手段により受信された電子機器ハードウエアの製造ラインでキー印刷を行い、
前記データ書き込み手段は、前記機器ハード受信手段により受信された電子機器ハードウエアの製造ラインで前記辞典名受信手段により受信された辞典名に対応する辞典データおよび前記キー入力処理データ作成手段により作成されたキー入力処理データの書き込みを行う、
ことを特徴とする請求項１又は請求項２の何れか１項に記載の電子機器の製造システム。
【請求項４】
電子機器製造システムのコンピュータを制御するための製造処理プログラムであって、
前記コンピュータを、
製造対象の電子機器の各キーごとの印刷位置データを記憶する印刷位置記憶手段、
前記電子機器の各キーに対応して、複数の辞典名を所定の順に配列した標準キー配列情報を記憶する標準キー配列記憶手段、
前記電子機器へ搭載する複数の辞典名を、顧客端末から受信する辞典名受信手段、
前記辞典名受信手段により受信した複数の辞典名に対応して、前記標準キー配列情報が読み出され、当該標準配列情報に応じた標準キーボードデータを作成する標準キーボード作成手段、
この標準キーボード作成手段により作成された標準キーボードデータを前記顧客端末に送信する標準キーボードデータ送信手段、
前記顧客端末から、前記標準キーボードデータの複数の辞典名の配列順の変更データを受信する辞典名配列変更受信手段、
この辞典名配列変更受信手段により受信された複数の辞典名の配列順の変更データと前記印刷位置記憶手段に記憶された各キーごとの印刷位置データとから、前記電子機器に対する各キーごとの各辞典名と印刷位置の情報であるキー印刷情報を作成するキー印刷情報作成手段、
前記辞典名配列変更受信手段により受信された複数の辞典名の配列順の変更データをキー入力処理テーブルに記憶するとともに、当該キー入力処理テーブルに基づいて製造対象の電子機器におけるキー入力処理データを作成するキー入力処理データ作成手段、
前記キー印刷情報作成手段により作成されたキー印刷情報に従って、前記製造対象の電子機器に対してキー印刷するキー印刷手段、
前記辞典名受信手段により受信された辞典名に対応する辞典データおよび前記キー入力処理データ作成手段により作成されたキー入力処理データの、前記電子機器に対する書き込みを行うデータ書き込み手段、
として機能させるようにしたコンピュータ読み込み可能な電子機器の製造処理プログラム。
【発明の詳細な説明】
【０００１】
【発明の属する技術分野】
本発明は、ユーザからの注文に合わせた内容の辞典を組み込んだ電子辞典などを生産するための電子機器の製造システム、製造処理プログラム、製造処理方法に関する。
【０００２】
【従来の技術】
例えば、電子辞典には様々な種類のものがあり、その殆どは内蔵された辞典（辞書）の内容や数量、そして装置本体の大きさや表示画面の大きさなどにより仕様が異なり、それぞれ別モデルとして販売されている。
【０００３】
そして、ユーザは、電子辞典の各モデルの仕様を店頭やカタログあるいはインターネットＨＰなどで確認することにより、自分に合ったモデルを探し出して購入している。
【０００４】
なお、このような電子辞典ではなくアナログ式の手帳を対象として、インターネットＨＰから手帳の仕様をユーザが任意に設定し、そのユーザ任意の手帳仕様データを手帳製造者の端末装置へ出力することで、ユーザが希望した仕様に従い手帳を製造するための、手帳製造システムが提案されている。（例えば、特許文献１参照。）
【０００５】
【特許文献１】
特開２００２−９９７８７号公報
【０００６】
【特許文献２】
特開平１１−２７３６２号公報
【０００７】
【発明が解決しようとする課題】
したがって、従来の電子辞典において収録されている辞典（辞書）の内容はそのモデル毎に固定化されており、ユーザは個々人で任意の辞典を組み合わせて収録したモデルを購入することができない。
【０００８】
また、前記従来のアナログ式手帳の手帳製造システムを電子辞典の製造システムに応用した場合でも、単にその発注内容が製造側の端末装置に伝わるだけのことであり、これに合わせてユーザ個々の希望に合わせた電子辞典を個別に製造・販売するのは極めて煩雑となり実現困難である。
【０００９】
本発明は、前記のような問題に鑑みてなされたもので、ユーザ個々人で選択した辞典内容とキー配列からなるモデルを容易に製造することが可能になる電子機器の製造システム、製造処理プログラム、製造処理方法を提供することを目的とする。
【００１０】
【課題を解決するための手段】
すなわち、本発明の請求項１に係る電子機器の製造システムでは、製造対象の電子機器の各キーごとの印刷位置データを記憶する印刷位置記憶手段と、前記電子機器の各キーに対応して、複数の辞典名を所定の順に配列した標準キー配列情報を記憶する標準キー配列記憶手段と、前記電子機器へ搭載する複数の辞典名を、顧客端末から受信する辞典名受信手段と、前記辞典名受信手段により受信した複数の辞典名に対応して、前記標準キー配列情報が読み出され、当該標準配列情報に応じた標準キーボードデータを作成する標準キーボード作成手段と、この標準キーボード作成手段により作成された標準キーボードデータを前記顧客端末に送信する標準キーボードデータ送信手段と、前記顧客端末から、前記標準キーボードデータの複数の辞典名の配列順の変更データを受信する辞典名配列変更受信手段と、この辞典名配列変更受信手段により受信された複数の辞典名の配列順の変更データと前記印刷位置記憶手段に記憶された各キーごとの印刷位置データとから、前記電子機器に対する各キーごとの各辞典名と印刷位置の情報であるキー印刷情報を作成するキー印刷情報作成手段と、前記辞典名配列変更受信手段により受信された複数の辞典名の配列順の変更データをキー入力処理テーブルに記憶するとともに、当該キー入力処理テーブルに基づいて製造対象の電子機器におけるキー入力処理データを作成するキー入力処理データ作成手段と、前記キー印刷情報作成手段により作成されたキー印刷情報に従って、前記製造対象の電子機器に対してキー印刷するキー印刷手段と、前記辞典名受信手段により受信された辞典名に対応する辞典データおよび前記キー入力処理データ作成手段により作成されたキー入力処理データの、前記電子機器に対する書き込みを行うデータ書き込み手段と、を備えたことを特徴とする。
【００１１】
これによれば、電子機器へ搭載する複数の辞典名を、顧客端末から受信すると、受信した複数の辞典名に対応して標準キーボードデータを作成して端末に送信し、端末から前記標準キーボードデータの複数の辞典名の配列順の変更データを受信するようにしたので、顧客は複数の辞典名を選んで送るだけで、容易に標準的な辞典の配列順のキーボードを得ることができ、さらに適宜好みの配列順に変更もできる。そして選択された辞典名と変更後のキー配列に従ったキー印刷情報および各キー操作に応じて各辞典を機能させるためのキー入力処理データが作成され、製造対象の電子辞典に対してキー印刷が行われると共に、選択された辞典名に対応する辞典データおよびキー入力処理データの書き込みが行われるので、顧客希望の辞典データを収録しキー配列を設定した電子辞典などの電子機器を容易に受注生産できることになる。
【００１６】
また、本発明の請求項２に係る電子機器の製造システムでは、前記請求項１に係る電子機器の製造システムにあって、前記標準キー配列情報は、前記辞典名受信手段により受信された複数の辞典名のうちの少なくとも１つの辞典名を当該辞典名の選択メニューとして表示させるためのメニューキーの配列情報を含み、前記標準キー配列記憶手段は、前記辞典名受信手段により受信された辞典名に関し前記メニューキーの配列位置および前記選択メニューの中の辞典名の配列位置をも含んで予め設定された標準のキー配列データを記憶する、ことを特徴とする。
【００１７】
これによれば、メニューキー等によって表示される選択メニュー内の辞典名の配列位置について、顧客が特に独自の配列位置を指定しない場合でも、顧客希望の辞典データを収録し、対応するキー配列を設定した電子辞典などの電子機器を容易に受注生産できることになる。
【００２４】
また、本発明の請求項３に係る電子機器の製造システムでは、前記請求項１又は請求項２の何れか１項に係る電子機器の製造システムにあって、さらに、顧客端末から電子機器のハードウエアの種類の選択情報を受信する機器ハード選択情報受信手段を備え、前記キー印刷手段は、前記キー印刷情報作成手段により作成されたキー印刷情報に従って、前記機器ハード受信手段により受信された電子機器ハードウエアの製造ラインでキー印刷を行い、前記データ書き込み手段は、前記機器ハード受信手段により受信された電子機器ハードウエアの製造ラインで前記辞典名受信手段により受信された辞典名に対応する辞典データおよび前記キー入力処理データ作成手段により作成されたキー入力処理データの書き込みを行う、ことを特徴とする。
【００２５】
これによれば、顧客希望の電子機器ハードウエアをベースモデルとし、このベースモデルの製造ラインに対して該顧客希望の辞典とそのキー配列に従ったキー印刷と、辞典データおよびキー入力処理データの書き込みを行うことで、顧客希望のハードウエアに希望の辞典データを収録しキー配列を設定した電子辞典などの電子機器を容易に受注生産できることになる。
【００３６】
【発明の実施の形態】
以下、図面を参照して本発明の実施の形態について説明する。
【００３７】
図１は本発明の電子機器の製造システムの実施形態に係る製造サーバ１０に基づいた電子辞典受注生産システムの全体の構成を示す図である。
【００３８】
この電子辞典受注生産システムは、通信ネットワーク（インターネット）Ｎを介して相互に通信可能に接続された、例えば電子辞典メーカファクトリＦＡのサーバ１０、ユーザ端末（ＰＣ）２０を備えて構成される。
【００３９】
電子辞典メーカファクトリＦＡには、サーバ１０あるいは別体にしたファクトリオートメーション端末（図示せず）により制御される３系統の製造ライン３０ＬＡ，３０ＬＢ，３０ＬＣが設置され、この製造ライン３０ＬＡ，３０ＬＢ，３０ＬＣによりユーザ個々人からの受注内容に合わせた電子辞典（Ａ１）４０Ａ１，（Ｂ１）４０Ｂ１，（Ｃ１）４０Ｃ１，…が製造されて配送される。
【００４０】
なお、第１製造ライン３０ＬＡは、名刺サイズ電子辞典４０Ａ（図２参照）をベースモデルとした製造ライン、第２製造ライン３０ＬＢは大画面音声なし電子辞典４０Ｂ（図３参照）をベースモデルとした製造ライン、第３製造ライン３０ＬＣは大画面音声付き電子辞典４０Ｃ（図４参照）をベースモデルとした製造ラインであり、ユーザはこの３種類のベースモデル電子辞典４０Ａ，４０Ｂ，４０Ｃの何れかを選択して希望の電子辞典を発注する。
【００４１】
図２は前記電子機器の製造サーバ１０に基づいて受注生産された名刺サイズ電子辞典４０Ａの外観構成を示す正面図である。
【００４２】
図３は前記電子機器の製造サーバ１０に基づいて受注生産された大画面音声なし電子辞典４０Ｂの外観構成を示す正面図である。
【００４３】
図４は前記電子機器の製造サーバ１０に基づいて受注生産された大画面音声付き電子辞典４０Ｃの外観構成を示す正面図である。
【００４４】
３種類の電子辞典４０Ａ，４０Ｂ，４０Ｃは、何れもキー入力ケース部４１と表示画面ケース部４２とがヒンジ部４３を介して開閉可能に構成され、キー入力ケース部４１には、各種のキーを配列したキー入力パネル４４が設けられ、表示画面ケース部４２には液晶表示画面４５が設けられる。名刺サイズ電子辞典４０Ａは、キー入力ケース部４１と表示画面ケース部４２とを閉じた状態で名刺サイズの小型に構成され、大画面音声なし電子辞典４０Ｂおよび大画面音声付き電子辞典４０Ｃは何れも前記名刺サイズ電子辞典４０Ａよりも大型で且つ大画面の液晶表示画面４５を有し、またこれに応じて容量の大きなメモリが内蔵される。さらに、大画面音声付き電子辞典４０Ｃには、音声出力部４６が設けられる。
【００４５】
各ベースモデル電子辞典４０Ａ，４０Ｂ，４０Ｃのキー入力パネル４４には、電源キー[ON/OFF]をはじめ、文字・記号入力キー群４４ａ、検索内容切替指定キー群４４ｂ、選択／決定機能キー群４４ｃが設けられ、それぞれそのキートップ（表面）には、直接のキー操作内容となる文字や記号，機能の内容が固定的に印刷され、またキー上のケース面には、シフトキー４４ｓとの同時操作に応じたキー操作内容となる文字や記号，機能の内容が固定的に印刷される。
【００４６】
さらに、各ベースモデル電子辞典４０Ａ，４０Ｂ，４０Ｃのキー入力パネル４４には、検索対象とする辞典を指定するための検索辞典指定キー４４▲１▼〜４４▲６▼が設けられる。この検索辞典指定キー４４▲１▼〜４４▲６▼により指定される辞典の内容は、当該辞典製造の受注に際しユーザにより選択設定される辞典の内容およびそのキー配列に応じて決定される。
【００４７】
従って、この検索辞典指定キー４４▲１▼〜４４▲６▼において、直接のキー操作に応じた辞典の内容を示す各キートップエリア▲１▼ａ〜▲６▼ａおよびシフトキー４４ｓとの同時操作に応じた辞典の内容を示す各キー上のケース面エリア▲１▼ｂ〜▲６▼ｂは、何れもユーザ受注製造以前のベースモデル段階では空白となっており、受注後の製造段階において前記ユーザにより選択設定された辞典の内容およびそのキー配列に応じた辞典名がレーザマーキングにより印刷される。
【００４８】
なお、本実施形態において、６つの検索辞典指定キー４４▲１▼〜４４▲６▼のうち５つのキーが辞典名の直接指定キーとされ、残り１つのキーが「メニュー」キーとされるもので、この「メニュー」キーを操作することで前記直接指定キーでは示されない他の各辞典名がユーザ設定された順番でリスト表示され選択指定可能になる。また、本実施形態において、検索辞典指定キー４４▲６▼は、シフト同時操作の際に「電卓」キーとして機能するもので、そのケース面エリア▲６▼ｂには「電卓」が予めマーキング印刷される。
【００４９】
すなわち、ユーザ端末（ＰＣ）２０からサーバ１０へのアクセスにより提供される電子辞典カスタマイズのホームページ（ＨＰ）において、ユーザ自身が必要とする電子辞典４０Ａ，４０Ｂ，４０Ｃのベースモデル、辞典の内容を選択すると共に、各辞典およびメニューを指定するためのキー配列を設定すると、サーバ１０において受注内容（ベースモデル，辞典，キー配列）に応じた電子辞典のカスタマイズ処理が行われ、これに応じて発注ユーザ独自の辞典が収録されキー配列が設定された電子辞典４０Ａ，４０Ｂ，４０ＣがメーカファクトリＦＡの各ベースモデルに対応する製造ライン３０ＬＡ，３０ＬＢ，３０ＬＣにて製造されて発注元のユーザへ配送される。
【００５０】
つまり、各製造ライン３０ＬＡ，３０ＬＢ，３０ＬＣでは、受注したベースモデル電子辞典４０Ａ，４０Ｂ，４０Ｃに対して、まず、ケース印刷／キー印刷部３０Ａ，３０Ｂ，３０Ｃにより、ユーザにより選択設定された辞典の内容とそのキー配列に応じて検索辞典指定キー４４▲１▼〜４４▲６▼の各キートップエリア▲１▼ａ〜▲６▼ａおよび各ケース面エリア▲１▼ｂ〜▲６▼ｂに対するレーザマーキング印刷が施される。次に、マルチタイムＰＲＯＭ書き込み部３１Ａ，３１Ｂ，３１Ｃにより、ユーザにより選択設定された辞典の内容に応じた各辞典データの書き込みとそのキー配列に応じたキー入力処理プログラムの書き込みが行われる。そして、送付先ラベル添付部３２Ａ，３２Ｂ，３２Ｃにより、ユーザにより入力された住所・氏名を宛先として記述した送付先ラベルが添付されて梱包，配送される。
【００５１】
図５は前記電子辞典受注生産システムにおける製造サーバ１０の電子回路の構成を示すブロック図である。
【００５２】
この製造サーバ１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００５３】
ＣＰＵ１１は、メモリ１２に予め記憶されたサーバ制御プログラム、あるいはＣＤ−ＲＯＭなどの外部記録媒体１３から記録媒体読取部１４を介して前記メモリ１２に読み込まれたサーバ制御プログラム、あるいは通信ネットワーク（インターネット）Ｎ上のＷｅｂサーバ（この場合はプログラムサーバ）から電送制御部１５を介して前記メモリ１２に読み込まれたサーバ制御プログラムに応じて、回路各部の動作を制御する。
【００５４】
前記メモリ１２に記憶されたサーバ制御プログラムは、電送制御部１５を介して接続される通信ネットワーク（インターネット）Ｎ上のユーザ端末（ＰＣ）２０…との通信信号、あるいはその他の各Ｗｅｂサーバとの通信信号、キーやマウス，タッチパネルなどからなる入力部１６からのオペレータ操作に応じた入力信号に応じて起動される。
【００５５】
前記ＣＰＵ１１には、前記メモリ１２、記録媒体読取部１４、電送制御部１５、入力部１６が接続される他に、表示部１７などが接続される。
【００５６】
メモリ１２内のプログラムメモリ１２Ａには、当該製造サーバ１０の全体の動作を司るシステムプログラムや電送制御部１５を介して通信ネットワーク（インターネット）Ｎ上の各コンピュータ端末２０…やＷｅｂサーバとデータ通信するための通信プログラムが記憶される他に、ユーザ端末２０…からの電子辞典カスタマイズの受注製造処理などを行うための製造サーバ処理プログラム１２ａなどが記憶される。
【００５７】
また、このメモリ１２内には、電子辞典カスタマイズの受注製造処理に伴いデータの作業領域となる購入情報メモリ１２Ｂ、顧客情報メモリ１２Ｃ、ベースモデルメモリ１２Ｄ、製品データメモリ１２Ｅが用意される。
【００５８】
購入情報メモリ１２Ｂには、ユーザ端末２０からの電子辞典カスタマイズの受注に伴い設定された製品ＩＤ１２ｂ１に対応付けられて、顧客ＩＤ１２ｂ２、ユーザ選択された電子辞典ハード［ベースモデル］の種類（名刺サイズ／大画面音声なし／大画面音声付き）１２ｂ３、ユーザ選択された辞典ソフト名１２ｂ４、ユーザ選択されたキー配列変更の有無と配列内容１２ｂ５、ユーザ選択されたメニュー内辞典変更の有無と配列内容１２ｂ６が、各購入ユーザ毎に記憶管理される。
【００５９】
顧客情報メモリ１２Ｃには、ユーザ端末２０からの電子辞典カスタマイズの受注に伴い、ユーザ端末２０との間で確認された顧客ＩＤ１２ｃ１、ユーザ入力された氏名１２ｃ２、ユーザ入力された住所１２ｃ３、ユーザ入力されたクレジットカード番号１２ｃ４が、各購入ユーザ毎に記憶管理される。
【００６０】
ベースモデルメモリ１２Ｄには、電子辞典メーカファクトリＦＡにて用意された電子辞典ベースモデル４０Ａ（名刺サイズ），４０Ｂ（大画面音声なし），４０Ｃ（大画面音声付き）それぞれにおける検索辞典指定キー４４▲１▼〜４４▲６▼の各キートップエリア▲１▼ａ〜▲６▼ａと各ケース面エリア▲１▼ｂ〜▲６▼ｂに対応したレーザ印刷用の座標位置を示す印刷位置テーブル１２ｄ１（図６参照）が記憶される。
【００６１】
図６は前記製造サーバ１０のベースモデルメモリ１２Ｄに記憶される印刷位置テーブル１２ｄ１のデータ内容を示す図である。
【００６２】
この印刷位置テーブル１２ｄ１において示される各検索辞典指定キー４４▲１▼〜４４▲６▼の各キートップエリア▲１▼ａ〜▲６▼ａと各ケース面エリア▲１▼ｂ〜▲６▼ｂに対応したレーザ印刷用の座標位置は、各ベースモデル４０Ａ（名刺サイズ），４０Ｂ（大画面音声なし），４０Ｃ（大画面音声付き）におけるキー入力ケース部４１の左上角を原点としたｘ座標，ｙ座標とされる。
【００６３】
また、ベースモデルメモリ１２Ｄには、ユーザ選択される複数の辞典の組み合わせに応じて、各検索辞典指定キー４４▲１▼〜４４▲６▼と各辞典との標準（推奨）の対応付け並び順を示すキー入力並び順データ１２ｄ２（図７参照）が記憶される。
【００６４】
図７は前記製造サーバ１０のベースモデルメモリ１２Ｄに記憶されるキー入力並び順データ１２ｄ２のデータ内容を示す図である。
【００６５】
このキー入力並び順データ１２ｄ２にて各検索辞典指定キー４４▲１▼〜４４▲６▼との標準的対応付が示される各辞典名は、当該検索辞典指定キー４４▲１▼〜４４▲６▼をダイレクト操作した場合▲１▼ａ〜▲６▼ａ、シフト同時操作した場合▲１▼ｂ〜▲５▼ｂに対応付けられて示される。検索辞典指定キー４４▲６▼については「メニュー」機能が標準とされ、先の検索辞典指定キー４４▲１▼〜４４▲５▼に対応付けされてない他の辞典名が標準の並び順で示される。
【００６６】
製品データメモリ１２Ｅには、前記購入情報メモリ１２Ｂに記憶された電子辞典カスタマイズのユーザ受注内容（製品ＩＤ１２ｂ１、顧客ＩＤ１２ｂ２、電子辞典ハード１２ｂ３、辞典ソフト名１２ｂ４、キー配列内容１２ｂ５、メニュー配列内容１２ｂ６）に基づき、当該製品ＩＤ１２ｅ１、顧客ＩＤ１２ｅ２に対応付けて、製造すべき電子辞典のＲＯＭに書き込むためのＲＯＭ書き込みデータ１２ｅ３（図８参照）、および製造すべき電子辞典の検索辞典指定キー４４▲１▼〜４４▲６▼におけるケース印刷とキートップ印刷を行うためのレーザ印刷データ１２ｅ４が記憶される。
【００６７】
図８は前記製造サーバ１０の製品データメモリ１２Ｅに記憶されるＲＯＭ書き込みデータ１２ｅ３のデータ内容を示す図である。
【００６８】
図８（Ａ）に示すように、ＲＯＭ書き込みデータ１２ｅ３としては、製造すべき電子辞典の製品ＩＤに対応付けて、ユーザ選択された電子辞典ハード１２ｂ３に対応する制御プログラム（１）、ユーザ選択されたキー配列内容１２ｂ５とメニュー配列内容１２ｂ６に対応するキー入力処理データ（２）、このキー入力処理データに対応した実際のキー配列イメージをテスト表示するためのテスト表示データ（３）、ユーザ選択された辞典ソフト名１２ｂ４に対応する各辞典データのデータベース（４）が記憶される。
【００６９】
ここで、キー入力処理データ（２）は、図８（Ｂ）に示すようなキー入力処理テーブルＡと、図８（Ｃ）に示すようなメニュー処理テーブルＢとの組み合わせからなり、キー入力処理テーブルＡ（図８（Ｂ）参照）には、キー入力パネル４４上の各検索辞典指定キー４４▲１▼〜４４▲６▼の操作に従い検索対象の辞典データとして機能させるべき各辞典名が、ダイレクト操作対応の処理テーブルａとシフト同時操作対応の処理テーブルｂに分けられて記述される。また、メニュー処理テーブルＢ（図８（Ｃ）参照）には、前記キー入力処理テーブルＡで指定された「メニュー」キーとして機能する検索辞典指定キー４４▲６▼に従い検索対象の辞典データとして機能させるべき他の各辞典名がリストとして記述される。
【００７０】
レーザ印刷データ１２ｅ４としては、前記キー入力処理テーブルＡ（図８（Ｂ）参照）に記述された各検索辞典指定キー４４▲１▼〜４４▲６▼の操作によって機能させるべき各辞典名が、各キー４４▲１▼〜４４▲６▼毎のキートップエリア▲１▼ａ〜▲６▼ａの印刷位置（図６参照）に対応付けたキートップ印刷データ（２）、および各キー４４▲１▼〜４４▲６▼毎のケース面エリア▲１▼ｂ〜▲６▼ｂの印刷位置（図６参照）に対応付けたケース印刷データ（１）として記述される。
【００７１】
次に、前記構成による電子辞典受注生産システムの製造サーバ１０を中心とする電子辞典受注生産処理について説明する。
【００７２】
図９は前記電子辞典受注生産システムにおける受注生産全体処理を示すフローチャートであり、同図（Ａ）はそのユーザ端末処理を示すフローチャート、同図（Ｂ）はその製造サーバ処理を示すフローチャートである。
【００７３】
図１０は前記電子辞典受注生産システムのユーザ端末処理及び製造サーバ処理に伴うカスタマイズ選択処理を示すフローチャートであり、同図（Ａ）はユーザ端末２０側でのカスタマイズ選択処理を示すフローチャート、同図（Ｂ）は製造サーバ１０側でのカスタマイズ選択処理を示すフローチャートである。
【００７４】
図１１は前記製造サーバ１０でのカスタマイズ選択処理に伴うレーザマーキング印刷データの作成処理を示すフローチャートであり、同図（Ａ）はケース印刷データの作成処理を示すフローチャート、同図（Ｂ）はキー印刷データの作成処理を示すフローチャートである。
【００７５】
図１２は前記電子辞典受注生産システムの製造サーバ１０により開設されているカスタマイズ辞典ＨＰ画面Ｇ１（同図（Ａ））およびこのカスタマイズ辞典ＨＰ画面Ｇ１に従いユーザ端末２０へ提供表示される辞典選択画面Ｇ２（同図（Ｂ））および辞典選択に伴うメモリ容量不足メッセージ画面Ｇ２ａ（同図（Ｃ））を示す図である。
【００７６】
ユーザ端末２０から通信ネットワーク（インターネット）Ｎを介して製造サーバ１０へのアクセスが行われると（ステップＡ１）、製造サーバ１０では、電送制御部１５を介してアクセス元のユーザ端末２０との通信が開始され、カスタマイズ辞典ファクトリのＨＰ情報が送信される（ステップＢ１）。
【００７７】
すると、ユーザ端末２０では、前記製造サーバ１０から送信されたカスタマイズ辞典ファクトリのＨＰ情報に従い、図１２（Ａ）に示すように、カスタマイズ辞典ＨＰ画面Ｇ１が表示され、製造サーバ１０との間で図１０におけるカスタマイズ選択処理が開始される（ステップＡＣ／ＢＤ）。
【００７８】
なお、このカスタマイズ選択処理は、製造サーバ１０に予め記憶された辞典選択処理プログラムに基づきユーザ端末２０との間で順次送受信アクセスを繰り返しながら行う構成としてもよいし、前記製造サーバ１０からユーザ端末２０へのカスタマイズ辞典ファクトリのＨＰ情報と共にその辞典選択処理プログラムもダウンロードし、ユーザが発注する電子辞典の内容が選択決定されるまでの処理について、全てユーザ端末２０にダウンロードされた辞典選択処理プログラムに基づき行う構成としてもよい。
【００７９】
図１０（Ａ）におけるユーザ端末２０側でのカスタマイズ選択処理と図１０（Ｂ）における製造サーバ１０側でのカスタマイズ選択処理とにおいて、前記図１２（Ａ）で示したように、ユーザ端末２０に表示されたカスタマイズ辞典ＨＰ画面Ｇ１上でユーザ固有の電子辞典の作成を指示するための「辞典を作ってみる」ボタンＸ１が操作されると（ステップＣ１）、製造サーバ１０では、各種辞典のデータをユーザ側で選択させるための辞典選択画面Ｇ２が送信される（ステップＤ１）。
【００８０】
図１２（Ｂ）で示したように、ユーザ端末２０において、表示された辞典選択画面Ｇ２上で、各種の辞典（英和／和英／国語／漢和／…）毎にユーザが搭載を希望する辞典の種類が選択的に指定され送信されると共に（ステップＣ２）、希望の電子辞典ハード［ベースモデル］が（名刺サイズ／大画面音声なし／大画面音声付き）の中から選択的に指定され送信されると（ステップＣ３）、このユーザ選択された各辞典名および電子辞典ハードの種類が製造サーバ１０にて順次受信される（ステップＤ２，Ｄ３）。
【００８１】
すると、製造サーバ１０では、前記ユーザ選択されて受信された各辞典名の全ての辞典データが、同ユーザ選択されて受信された電子辞典ハード［ベースモデル］のメモリ容量内に収録可能か否か判断される（ステップＤ４）。
【００８２】
ここで、ユーザ選択された各辞典データの全データ量が、同ユーザ選択された電子辞典ハードのメモリ容量内に収録不可能であると判断された場合には、メモリ容量の不足を知らせるメッセージ画面Ｇ２ａがアクセス中のユーザ端末２０へ送信され（ステップＤ４→Ｄ５）、前記ステップＤ２からの選択辞典名と選択電子辞典ハードとの受信待機状態に戻る。
【００８３】
ユーザ端末２０において、前記製造サーバ１０から送信されたメモリ容量の不足を知らせるメッセージ画面Ｇ２ａが受信されると（ステップＣ４）、図１２（Ｃ）に示すように、メモリ容量不足メッセージ画面Ｇ２ａとして表示され（ステップＣ５）、前記ステップＣ２からのユーザによる希望の辞典選択と電子辞典ハード選択の処理に戻る。
【００８４】
一方、前記製造サーバ１０において、ユーザ選択された全辞典データ量が同ユーザ選択された電子辞典ハードのメモリ容量内に収録可能であると判断されることで（ステップＤ４）、ユーザ端末２０においても、前記メモリ容量の不足を知らせるメッセージ画面Ｇ２ａが受信されず（ステップＣ４）、前記図１２（Ｂ）で示した辞典選択画面Ｇ２上の「次へ」ボタンＸ２が操作されると（ステップＣ６）、当該「次へ」ボタンＸ２の操作信号が製造サーバ１０へ送信される（ステップＣ７）。
【００８５】
製造サーバ１０において、前記ユーザ端末２０から送信された「次へ」信号が受信されると、ユーザ選択された電子辞典ハード［ベースモデル］に対応するキー入力パネル４４上のキー配列画像データが読み出され（ステップＤ６）、ユーザ選択された各辞典の組み合わせに応じてベースモデルメモリ１２Ｄのキー入力並び順データ１２ｄ２（図７参照）として記憶されている標準でのキーの並び順データが読み出され、選択された各辞典および電子辞典ハードに応じた標準でのキーボード・メニューデータ（図１３（Ａ）参照）が作成される（ステップＤ７）。
【００８６】
そして、製造サーバ１０において作成されたユーザ選択辞典名およびユーザ選択辞典ハードに応じた標準キーボード・メニューデータが、ユーザ端末２０へ送信されると（ステップＤ８）、ユーザ端末２０では、前記サーバ１０から受信された標準キーボード・メニューデータが、図１３（Ａ）に示すような標準キーボード・メニュー画面Ｇ３として表示される（ステップＣ８）。
【００８７】
図１３は前記電子辞典受注生産システムでのカスタマイズ選択処理に伴いユーザ端末２０へ提供表示されるキーボード・メニュー画面を示す図であり、同図（Ａ）は選択された辞典に応じた標準キーボード・メニュー画面Ｇ３を示す図、同図（Ｂ）は標準からの変更を要する修正キーボード・メニュー画面Ｇ４を示す図である。
【００８８】
ここで、図１３に示す各キーボード・メニュー画面Ｇ３，Ｇ４は、ユーザ選択された辞典が「広＊苑」「グロ＊バル英和」「リ＊ダース和英」「漢＊林」「明＊古語」「広＊苑分野別」「グ＊ンド英和」「四字熟語」「ことわざ」「カタカナ」「ＩＴ英和」であり、ユーザ選択された電子辞典ハードが大画面音声付き４０Ｃである場合を示すもので、標準キーボード・メニュー画面Ｇ３では、各検索辞典指定キー４４▲１▼〜４４▲６▼のキートップエリア▲１▼ａ〜▲６▼ａに対応するダイレクト指定の辞典およびケース面エリア▲１▼ｂ〜▲６▼ｂに対応するシフト同時指定の辞典として▲１▼ａ「広＊苑」、▲１▼ｂ「広＊苑分野別」、▲２▼ａ「グ＊ンド英和」、▲２▼ｂ「グロ＊バル英和」、▲３▼ａ「リ＊ダース和英」、▲４▼ａ「漢＊林」、▲４▼ｂ「四字熟語」、▲５▼ａ「明＊古語」、▲５▼ｂ「ことわざ」、▲６▼ａ「メニュー」として設定され、メニュー内容▲６▼ａｍとして「カタカナ辞典」「ＩＴ英和辞典」が順次設定された状態を示している。
【００８９】
この標準キーボード・メニュー画面Ｇ３の表示状態で、各辞典を指定するためのキー配列が当該標準配列のままでよい場合に、「ＹＥＳ」ボタンが操作されて標準「ＯＫ」と判断されると（ステップＣ９）、この標準「ＯＫ」信号が製造サーバ１０へ送信される（ステップＣ１０）。
【００９０】
製造サーバ１０において、前記ユーザ端末２０から受信された標準「ＯＫ」信号が受信されると（ステップＤ９）、キー入力処理テーブル（図８（Ｂ）参照）の作成処理（ステップＤ１２）、メニュー処理テーブル（図８（Ｃ）参照）の作成処理（ステップＤ１３）へ移行される。
【００９１】
一方、前記ユーザ端末２０における、標準キーボード・メニュー画面Ｇ３の表示状態で、各辞典を指定するためのキー配列が当該標準配列のままでなくユーザ独自に修正を加えたい場合に、「ＮＯ」ボタンが操作されることで標準「ＯＫ」でない判断されると（ステップＣ９）、前記標準キーボード・メニュー画面Ｇ３は、図１３（Ｂ）に示すように、各検索辞典指定キー４４▲１▼〜４４▲６▼のキートップエリア▲１▼ａ〜▲６▼ａおよびケース面エリア▲１▼ｂ〜▲６▼ｂにて指定される各辞典のキー配列をドラッグ＆ドロップ操作によって適宜修正可能な修正キーボード・メニュー画面Ｇ４として表示される（ステップＣ１１）。
【００９２】
つまり、この修正キーボード・メニュー画面Ｇ４では、各検索辞典指定キー４４▲１▼〜４４▲６▼のキートップエリア▲１▼ａ〜▲６▼ａおよびケース面エリア▲１▼ｂ〜▲６▼ｂそしてメニュー内容▲６▼ａｍの相互間で、各エリアにて記述指定される辞典名をドラッグ＆ドロップ操作によって自在に変更可能なもので、ドロップ先のエリアに事前に存在した辞典名はその位置までドラッグされてきた他の辞典名のドロップ操作によってドラッグされ他の任意のエリアへの移動ドロップが行われる。
【００９３】
こうして、前記修正キーボード・メニュー画面Ｇ４において、ユーザ選択された各辞典を指定するためのキー配列とメニュー配列について所望の修正表示操作が行われ、「ＹＥＳ」ボタンが操作されることで修正「ＯＫ」と判断されると（ステップＣ１２）、この修正後のキーボード・メニューデータが製造サーバ１０へ送信される（ステップＣ１３）。
【００９４】
製造サーバ１０において、前記ユーザ端末２０から送信された修正後のキーボード・メニューデータが受信されると（ステップＤ１０）、この修正後のキー配列に対応した各辞典名とメニュー配列に対応した各辞典名とが、購入情報メモリ１２Ｂ内のキー配列内容１２ｂ５およびメニュー配列内容１２ｂ６に修正されて登録される（ステップＤ１１）。
【００９５】
すると、前記購入情報メモリ１２Ｂ内のキー配列内容１２ｂ５に登録された各検索辞典指定キー４４▲１▼〜４４▲６▼のキートップエリア▲１▼ａ〜▲６▼ａおよびケース面エリア▲１▼ｂ〜▲６▼ｂにそれぞれ対応する各辞典名に基づき、図８（Ｂ）に示すように各キー入力エリアに辞典名を対応付けたキー入力処理テーブルが作成されると共に（ステップＤ１２）、メニュー配列内容１２ｂ６に登録されたメニュー内容▲６▼ａｍにそれぞれ対応する各辞典名に基づき、図８（Ｃ）に示すようにメニューリストに各辞典名を対応付けたメニュー処理テーブルが作成される（ステップＤ１３）。
【００９６】
すると、前記ユーザ選択された各辞典名、電子辞典ハード、および作成されたキー入力処理テーブル、メニュー処理テーブル、各辞典それぞれのデータに基づき、図８（Ａ）で示すようなＲＯＭ書き込みデータ１２ｅ３の一覧テーブルが作成される（ステップＤ１４）。
【００９７】
これにより、ユーザ希望の電子辞典ハードに対し、ユーザ希望の各辞典を、ユーザ希望のキー配列およびメニュー配列として処理可能に設定登録するためのＲＯＭ書き込みデータ１２ｅ３が得られる。
【００９８】
すると、図１１（Ａ）におけるレーザマーキングのケース印刷データ作成処理、図１１（Ｂ）におけるレーザマーキングのキー印刷データの作成処理に移行される（ステップＤＥ，ＤＦ）。
【００９９】
まず、図１１（Ａ）におけるレーザマーキングのケース印刷データ作成処理（ステップＤＥ）が開始されると、ベースモデルメモリ１２Ｄに記憶される印刷位置テーブル１２ｄ１（図６参照）から、ユーザ選択されてＲＯＭ書き込みデータ１２ｅ３として記憶されている電子辞典ハード（例えば「大画面音声付き４０Ｃ」）のケース面エリア▲１▼ｂ〜▲６▼ｂに対応する各印刷位置データが読み出される（ステップＥ１）。
【０１００】
これと共に、ユーザによりキー配列が修正されてＲＯＭ書き込みデータ１２ｅ３として記憶されているキー入力処理テーブル内のケース面エリア▲１▼ｂ〜▲６▼ｂにそれぞれ対応する各辞典名（図８（Ｂ）参照）が読み出される（ステップＥ２）。
【０１０１】
すると、マーキング対象エリアＮｏ＝▲１▼が初期設定され、当該指定されたケース面エリア▲１▼ｂに対応する辞典名（例えば「ＩＴ英和辞典」）の文字パターンが読み出される（ステップＥ４）。
【０１０２】
また、前記選択された電子辞典ハード（例えば「大画面音声付き４０Ｃ」）の前記指定されたケース面エリア▲１▼ｂに対応する印刷位置データ（ｘ座標(17)，ｙ座標(1)）が読み出され、この印刷位置データに従ってレーザマーキング用画像上の対応する位置に前記辞典名（例えば「ＩＴ英和辞典」）の文字パターンが貼り付けられる（ステップＥ５）。
【０１０３】
すると、マーキング対象エリアＮｏが最終Ｎｏの▲６▼に到達したか否か判断され（ステップＥ６）、エリア▲６▼に到達してないと判断された場合には、当該対象エリアＮｏは“＋１”されて“▲２▼”にセットされる（ステップＥ７）。
【０１０４】
すると、新たに指定されたケース面エリア▲２▼ｂに対応する辞典名（例えば「カタカナ辞典」）の文字パターンが読み出される（ステップＥ４）。
【０１０５】
また、前記選択された電子辞典ハード（例えば「大画面音声付き４０Ｃ」）の前記指定されたケース面エリア▲２▼ｂに対応する印刷位置データ（ｘ座標(37)，ｙ座標(1)）が読み出され、この印刷位置データに従ってレーザマーキング用画像上の対応する位置に前記辞典名（例えば「カタカナ辞典」）の文字パターンが貼り付けられる（ステップＥ５）。
【０１０６】
この後、前記ステップＥ４〜Ｅ６の処理が順次繰り返されることで、続く各ケース面エリア▲３▼ｂ〜▲６▼ｂに対応してキー入力処理テーブルから読み出された各辞典名▲３▼ｂ「−」▲４▼ｂ「四字熟語」▲５▼ｂ「広辞苑分野別」▲６▼ｂ「電卓」それぞれの文字パターンが、それぞれ対応する印刷位置データに従ってレーザマーキング用画像上の対応する位置に貼り付けられる。
【０１０７】
すると、検索辞典指定キー４４▲１▼〜４４▲６▼の各ケース面エリア▲１▼ｂ〜▲６▼ｂの印刷位置に対応して、キー入力処理テーブルから読み出された各辞典名の文字パターンを貼り付けて生成したレーザマーキング用の画像データがケース印刷データＭｃａｓｅ（図１７参照）に変換され、製品データメモリ１２Ｅにおけるレーザ印刷データ１２ｅ４のケース印刷データ（１）として登録される（ステップＥ８）。
【０１０８】
次に、図１１（Ｂ）におけるレーザマーキングのキー印刷データ作成処理（ステップＤＦ）が開始されると、ベースモデルメモリ１２Ｄに記憶される印刷位置テーブル１２ｄ１（図６参照）から、ユーザ選択されてＲＯＭ書き込みデータ１２ｅ３として記憶されている電子辞典ハード（例えば「大画面音声付き４０Ｃ」）のキートップエリア▲１▼ａ〜▲６▼ａに対応する各印刷位置データが読み出される（ステップＦ１）。
【０１０９】
これと共に、ユーザによりキー配列が修正されてＲＯＭ書き込みデータ１２ｅ３として記憶されているキー入力処理テーブル内のキートップエリア▲１▼ａ〜▲６▼ａにそれぞれ対応する各辞典名（図８（Ｂ）参照）が読み出される（ステップＦ２）。
【０１１０】
すると、マーキング対象エリアＮｏ＝▲１▼が初期設定され、当該指定されたキートップエリア▲１▼ａに対応する辞典名（例えば「グロ＊バル英和」）の文字パターンが読み出される（ステップＦ４）。
【０１１１】
また、前記選択された電子辞典ハード（例えば「大画面音声付き４０Ｃ」）の前記指定されたキートップエリア▲１▼ａに対応する印刷位置データ（ｘ座標(17)，ｙ座標(5)）が読み出され、この印刷位置データに従ってレーザマーキング用画像上の対応する位置に前記辞典名（例えば「グロ＊バル英和」）の文字パターンが貼り付けられる（ステップＦ５）。
【０１１２】
すると、マーキング対象エリアＮｏが最終Ｎｏの▲６▼に到達したか否か判断され（ステップＦ６）、エリア▲６▼に到達してないと判断された場合には、当該対象エリアＮｏは“＋１”されて“▲２▼”にセットされる（ステップＦ７）。
【０１１３】
すると、新たに指定されたキートップエリア▲２▼ａに対応する辞典名（例えば「グ＊ンド英和」）の文字パターンが読み出される（ステップＦ４）。
【０１１４】
また、前記選択された電子辞典ハード（例えば「大画面音声付き４０Ｃ」）の前記指定されたキートップエリア▲２▼ａに対応する印刷位置データ（ｘ座標(37)，ｙ座標(5)）が読み出され、この印刷位置データに従ってレーザマーキング用画像上の対応する位置に前記辞典名（例えば「グ＊ンド英和」）の文字パターンが貼り付けられる（ステップＦ５）。
【０１１５】
この後、前記ステップＦ４〜Ｆ６の処理が順次繰り返されることで、続く各キートップエリア▲３▼ａ〜▲６▼ａに対応してキー入力処理テーブルから読み出された各辞典名▲３▼ａ「リ＊ダーズ和英」▲４▼ａ「漢＊林」▲５▼ａ「広辞苑」▲６▼ａ「メニュー」それぞれの文字パターンが、それぞれ対応する印刷位置データに従ってレーザマーキング用画像上の対応する位置に貼り付けられる。
【０１１６】
すると、検索辞典指定キー４４▲１▼〜４４▲６▼の各キートップエリア▲１▼ａ〜▲６▼ａの印刷位置に対応して、キー入力処理テーブルから読み出された各辞典名の文字パターンを貼り付けて生成したレーザマーキング用の画像データがキー印刷データＭｋｅｙ（図１８参照）に変換され、製品データメモリ１２Ｅにおけるレーザ印刷データ１２ｅ４のキートップ印刷データ（２）として登録される（ステップＦ８）。
【０１１７】
これにより、前記図１０（Ａ）（Ｂ）に従った、ユーザ端末２０でのカスタマイズ選択処理（ステップＡＣ）および製造サーバ１０でのカスタマイズ選択処理（ステップＢＤ）が終了する。
【０１１８】
図１４は前記電子辞典受注生産システムでのカスタマイズ選択処理に伴いユーザ端末２０へ提供表示されるカスタマイズ辞典の作成依頼画面Ｇ５を示す図である。
【０１１９】
このカスタマイズ辞典の作成依頼画面Ｇ５では、カスタマイズ辞典ファクトリに対する辞典作成依頼の送信メッセージと共に、ユーザ氏名・住所・クレジット番号の入力項目が表示されるもので、このカスタマイズ辞典作成依頼画面Ｇ５において、氏名・住所・クレジット番号がユーザ入力されて「ＯＫ」ボタンＸ２が操作されると、入力されたユーザ氏名・住所・クレジット番号の各データがユーザ端末２０から製造サーバ１０へ送信される（ステップＡ２）。
【０１２０】
製造サーバ１０において、前記ユーザ端末２０から送信されたユーザ氏名・住所・クレジット番号が受信されると（ステップＢ２）、これと共に前記カスタマイズ辞典選択処理（ステップＢＤ）において選択設定されて記憶された当該ユーザＩＤの購入情報（１２Ｂ），製品データ（１２Ｅ）に対応するところの顧客情報（１２Ｃ）として顧客情報メモリ１２Ｃに記憶される（ステップＢ３）。
【０１２１】
図１５は前記電子辞典受注生産システムのメーカファクトリＦＡにおける製造サーバ１０による各顧客対応の電子辞典生産指令処理を示すフローチャートである。
【０１２２】
図１６は前記電子辞典受注生産システムのメーカファクトリＦＡにおける「大画面音声付き」電子辞典４０Ａに対するキー印刷・ケース印刷前のキー入力ケース部４１を示す図である。
【０１２３】
図１７は前記電子辞典受注生産システムのメーカファクトリＦＡにおける「大画面音声付き」電子辞典４０Ａのキー入力ケース部４１に対するケース印刷状態を示す図である。
【０１２４】
図１８は前記電子辞典受注生産システムのメーカファクトリＦＡにおける「大画面音声付き」電子辞典４０Ａのキー入力ケース部４１に対するキー印刷状態を示す図である。
【０１２５】
本実施形態の場合、電子辞典メーカファクトリＦＡ（図１参照）では、この製造サーバ１０からの生産指令に応じて、ファクトリオートメーションを制御することで、３系統の製造ライン３０ＬＡ，３０ＬＢ，３０ＬＣによりユーザ個々人からの受注内容に合わせた電子辞典（Ａ１）４０Ａ１，（Ｂ１）４０Ｂ１，（Ｃ１）４０Ｃ１，…が製造されて配送される。
【０１２６】
この電子辞典生産指令処理では、まず製造対象の顧客ＩＤ１２ｂ２に対応するところの購入情報メモリ１２Ｂに記憶されている電子辞典ハード１２ｂ３が「名刺サイズ」「大画面音声なし」「大画面音声付き」の何れであるか判断され（ステップＨ１）、「名刺サイズ」である場合には第１製造ライン３０ＬＡが指定され（ステップＨ２１）、「大画面音声なし」である場合には第２製造ライン３０ＬＢが指定され（ステップＨ２２）、「大画面音声付き」である場合には第３製造ライン３０ＬＣが指定される（ステップＨ２３）。
【０１２７】
ここでは、例えば前記１２（Ｂ）で示したユーザ受注内容に従って、製造対象の顧客ＩＤ１２ｂ２に対応する電子辞典ハード１２ｂは「大画面音声付き」電子辞典４０Ｃ、辞典の内容は「グ＊ンドコンサイス英和」「新グロ＊バル英和」「リ＊ダーズ和英」「広＊苑」「広＊苑分野別」「漢＊林」「四字熟語」「明＊古語辞典」「研＊社カタカナ辞典」「ことわざ辞典」「ＩＴ英和辞典」、各辞典を指定するためのキー配列は図１３（Ｂ）で示したキー配列として選択設定された場合について説明する。
【０１２８】
すなわち、製造対象の顧客ＩＤ１２ｂ２に対応する電子辞典ハード１２ｂが「大画面音声付き」であることにより、第３製造ライン３０ＬＣが指定されると（ステップＨ１→Ｈ２３）、図１６に示すような、当該第３製造ライン３０ＬＣの大画面音声付き電子辞典４０Ｃをベースモデルとした生産指示が開始される。
【０１２９】
はじめに、指定された第３製造ライン３０ＬＣにあるケース印刷／キー印刷部３０Ｃにおいて、大画面音声付き電子辞典４０Ｃのキー入力ケース部４１に対して、該当顧客ＩＤ１２ｅ２の製品データメモリ１２Ｅに登録されたレーザ印刷データ１２ｅ４のケース印刷データ（１）Ｍｃａｓｅにより、図１７に示すように、レーザマーキングによる一筆書きでのケース印刷が施される（ステップＨ３）。
【０１３０】
つまり、キー入力ケース部４１における検索辞典指定キー４４▲１▼〜４４▲６▼の各ケース面エリア▲１▼ｂ，▲２▼ｂ，▲４▼ｂ，▲５▼ｂの印刷位置に対して、「ＩＴ英和辞典」，「カタカナ辞典」，「四字熟語」，「広＊苑分野別」のレーザマーキング印刷が行われる。
【０１３１】
続いて、同一の大画面音声付き電子辞典４０Ｃのキー入力ケース部４１に対して、同ケース印刷／キー印刷部３０Ｃにおいて、該当顧客ＩＤ１２ｅ２の製品データメモリ１２Ｅに登録されたレーザ印刷データ１２ｅ４のキー印刷データ（２）Ｍｋｅｙにより、図１８に示すように、レーザマーキングによる一筆書きでのケース印刷が施される（ステップＨ４）。
【０１３２】
つまり、キー入力ケース部４１における検索辞典指定キー４４▲１▼〜４４▲６▼の各キートップエリア▲１▼ａ，▲２▼ａ，▲３▼ａ，▲４▼ａ，▲５▼ａ，▲６▼ａの印刷位置に対して、「グロ＊バル英和」，「グ＊ンド英和」，「リ＊ダーズ和英」，「漢＊林」，「広＊苑」，「メニュー」のレーザマーキング印刷が行われる。
【０１３３】
さらに、前記該当顧客ＩＤ１２ｅ２対応のケース印刷およびキー印刷が施された同一の大画面音声付き電子辞典４０Ｃの内蔵ＲＯＭに対して、マルチタイムＰＲＯＭ書き込み部３１Ｃにおいて、当該顧客ＩＤ１２ｅ２の製品データメモリ１２Ｅに、図８で示したように記憶されているキー入力処理データや辞典データベースからなるＲＯＭ書き込みデータ１２ｅ３の書き込みが行われる（ステップＨ５）。
【０１３４】
こうして、前記顧客ユーザの購入情報（１２Ｂ）に基づいて当該ユーザ所望の辞典内容を収録し且つキー配列を施し、これに応じた処理プログラムを書き込んだ所望ハードの電子辞典４０Ｃ１が製造作成されると、送付先ラベル添付部３２Ｃにおいて、当該電子辞典４０Ｃ１の梱包と共に「ユーザ氏名・住所」の送り状が添付され（ステップＨ６）、当該電子辞典の発注元である送り状の宛先への発送が指示される（ステップＨ７）。
【０１３５】
これにより、電子辞典のハードウエア及びこれに収録される各辞典内容、各辞典指定のためのキー配列についてユーザの希望通りに製造作成された電子辞典がユーザ宅へ配達される。
【０１３６】
こうして、各顧客対応の電子辞典生産指令処理（ステップＢＨ）が終了すると、製造サーバ１０では、受注された購入辞典の見積価格とユーザクレジット情報に基づき、当該購入ユーザに対する課金処理が行われる（ステップＢ４）。
【０１３７】
したがって、前記構成の電子辞典受注生産システムによれば、ユーザ端末２０から製造サーバ１０へのアクセスに応じて当該端末２０へ表示させた辞典選択画面Ｇ２に応じてユーザ希望の電子辞典ハードの種類および辞典名が選択されて受信されると共に、同端末２０へ表示させた標準（推奨）キーボード・メニュー画面Ｇ３あるいは該標準からの変更を要する修正キーボード・メニュー画面Ｇ４に応じて各検索辞典指定キー４４▲１▼〜４４▲６▼により各辞典を指定するためのキー配列が選択されて受信されると、選択された辞典名に対応する辞典データベースが用意され、また選択されたキー配列に対応して各検索辞典指定キー４４▲１▼〜４４▲６▼によって希望の辞典データを機能させるためのキー入力処理データが作成されると共に、当該キー配列に対応して各検索辞典指定キー４４▲１▼〜４４▲６▼のキートップエリア▲１▼ａ〜▲６▼ａおよびケース面エリア▲１▼ｂ〜▲６▼ｂに各辞典名を印刷するための印刷データが生成される。
【０１３８】
すると、電子辞典メーカファクトリＦＡにおけるユーザ希望の電子辞典ハードの製造ライン３０ＬＡ，３０ＬＢ，３０ＬＣのケース印刷／キー印刷部３０Ａ，３０Ｂ，３０Ｃに対して前記印刷データに基づくキートップエリア▲１▼ａ〜▲６▼ａおよびケース面エリア▲１▼ｂ〜▲６▼ｂに対する各辞典名の印刷が指示されると共に、マルチタイムＰＲＯＭ書き込み部３１Ａ，３１Ｂ，３１Ｃに対して前記選択された辞典名に対応する辞典データベースおよび選択されたキー配列に従ったキー入力処理データの書き込みが指示され、さらに、送付先ラベル添付部３２Ａ，３２Ｂ，３２Ｃに対してユーザ端末２０から受信記憶された「氏名・住所」の送り状の添付および発送が指示され、ユーザ所望の電子辞典が製造・配送される。
【０１３９】
これにより、ユーザ希望の電子辞典ハードに対して希望の辞典データベースを収録するだけでなく、希望のキー配列にキー印刷およびケース面印刷すると共に、当該キー配列に応じて各辞典を指定するためのキー入力処理データを生成してＲＯＭに書き込んでなる電子辞典を一貫ラインで自動的に製造し納品することができる。
【０１４０】
また、前記構成の電子辞典受注生産システムによれば、各検索辞典指定キー４４▲１▼〜４４▲６▼のうち「メニュー」キーの機能によって開かれる直接指定不能な辞典名リストにおいて、その辞典名の組み合わせに応じて予め定められた標準（推奨）の順序でのメニュー処理テーブル、あるいはユーザ所望の修正に応じたメニュー処理テーブルが作成されてキー入力処理データとしてＲＯＭに書き込まれるので、各検索辞典指定キー４４▲１▼〜４４▲６▼によって直接指定可能な辞典のキー配列だけでなく、メニューリストから選択的に指定するための辞典の配列までユーザの希望に合わせて自動生成し製造することができる。
【０１４１】
また、前記構成の電子辞典受注生産システムによれば、ユーザ希望のキー配列に応じた各検索辞典指定キー４４▲１▼〜４４▲６▼に対する各辞典名のケース印刷およびキー印刷の印刷データは、例えばレーザマーキングによる印刷のための一筆書きの印刷データとして生成されるので、一貫製造ラインにより適応した受注生産システムとすることができる。
【０１４２】
なお、前記実施形態では、受注生産の対象となる電子辞典として、日本人ユーザを対象とした電子辞典についてのみ説明したが、例えば図１９に示すような韓国語ユーザを対象とした電子辞典、あるいは図２０に示すような独語ユーザを対象とした電子辞典など、あらゆる言語を標準とするユーザを対象とした電子辞典であっても、前記実施形態同様の処理手順によって受注生産することができ、前記実施形態同様の効果を得ることができる。
【０１４３】
図１９は前記電子辞典受注生産システムの製造サーバ１０に基づき受注生産された独語ユーザ向け電子辞典４０Ｇの外観構成を示す正面図である。
【０１４４】
図２０は前記電子辞典受注生産システムの製造サーバ１０に基づき受注生産された韓国語ユーザ向け電子辞典４０Ｋの外観構成を示す正面図である。
【０１４５】
また、前記実施形態では、電子辞典メーカファクトリＦＡに設置した製造サーバ１０において、ユーザ端末２０からの電子辞典のハード種類，辞典内容，キー配列などの希望内容を受信し、キー印刷およびケース印刷データを生成すると共に、これに対応するキー入力処理データおよび辞典データベースなどのＲＯＭ書き込みデータ１２ｅ３を生成し、さらに、これに基づき希望のハード種類に応じた製造ライン３０ＬＡ，３０ＬＢ，３０ＬＣに対するレーザマーキング印刷の指示、ＲＯＭデータ書き込みの指示、配送先添付・発送の指示までも行う構成としたが、ユーザ端末２０からの受注用のサーバと各製造ライン３０ＬＡ，３０ＬＢ，３０ＬＣに対する製造・配送指示用のサーバとを別々に設ける構成としてもよい。
【０１４６】
また、前記実施形態では、受注生産の対象を電子辞典とし、英和辞典，和英辞典，国語辞典，漢和辞典など、所謂言葉の辞典を主に収録した電子機器を製造するものとして説明したが、収録すべきデータの内容としてはこれに限らず、百科事典，英会話集，英文小説，教科書など、何れのデータベースも何らかの文字列の検索・表示を行う辞典の一種として如何なるデータを対象としてもよい。
【０１４７】
なお、前記実施形態において記載した電子辞典受注生産システムにおける製造サーバ１０やユーザ端末２０による各処理の手法、すなわち、図９（Ａ）のフローチャートに示すユーザ端末処理、図９（Ｂ）のフローチャートに示す製造サーバ処理、図１０（Ａ）のフローチャートに示すユーザ端末処理に伴うカスタマイズ選択処理、図１０（Ｂ）のフローチャートに示す製造サーバ処理に伴うカスタマイズ選択処理、図１１（Ａ）のフローチャートに示す製造サーバ処理でのカスタマイズ選択処理に伴うケース印刷データ作成処理、図１１（Ｂ）のフローチャートに示す製造サーバ処理でのカスタマイズ選択処理に伴うキー印刷データ作成処理、図１５のフローチャートに示す製造サーバ処理に伴う各顧客対応の電子辞典生産指令処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３に格納して配布することができる。そして、通信ネットワーク（インターネット）Ｎとの通信機能を備えた種々のコンピュータ端末は、この外部記録媒体１３に記憶されたプログラムを記録媒体読取部１４によってメモリ１２に読み込み、この読み込んだプログラムによって動作が制御されることにより、前記実施形態において説明した電子辞典受注生産機能を実現し、前述した手法による同様の処理を実行することができる。
【０１４８】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末から前記のプログラムデータを取り込み、前述した電子辞典受注生産機能を実現することもできる。
【０１４９】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１５０】
【発明の効果】
以上のように、本発明の請求項１に係る電子機器の製造システムによれば、電子機器へ搭載する複数の辞典名を、顧客端末から受信すると、受信した複数の辞典名に対応して標準キーボードデータを作成して端末に送信し、端末から前記標準キーボードデータの複数の辞典名の配列順の変更データを受信するようにしたので、顧客は複数の辞典名を選んで送るだけで、容易に標準的な辞典の配列順のキーボードを得ることができ、さらに適宜好みの配列順に変更もできる。そして選択された辞典名と変更後のキー配列に従ったキー印刷情報および各キー操作に応じて各辞典を機能させるためのキー入力処理データが作成され、製造対象の電子辞典に対してキー印刷が行われると共に、選択された辞典名に対応する辞典データおよびキー入力処理データの書き込みが行われるので、顧客希望の辞典データを収録しキー配列を設定した電子辞典などの電子機器を容易に受注生産できるようになる。
【０１５３】
また、本発明の請求項２に係る電子機器の製造システムによれば、前記請求項１に係る電子機器の製造システムにあって、前記標準キー配列情報は、前記辞典名受信手段により受信された複数の辞典名のうちの少なくとも１つの辞典名を当該辞典名の選択メニューとして表示させるためのメニューキーの配列情報を含み、前記標準キー配列記憶手段は、前記辞典名受信手段により受信された辞典名に関し前記メニューキーの配列位置および前記選択メニューの中の辞典名の配列位置をも含んで予め設定された標準のキー配列データを記憶するようにしたので、メニューキー等によって表示される選択メニュー内の辞典名の配列位置について、顧客が特に独自の配列位置を指定しない場合でも、顧客希望の辞典データを収録し、対応するキー配列を設定した電子辞典などの電子機器を容易に受注生産できるようになる。
【０１５７】
また、本発明の請求項３に係る電子機器の製造システムによれば、請求項１又は請求項２の何れか１項に係る電子機器の製造システムにあって、さらに、顧客端末から電子機器のハードウエアの種類の選択情報を受信する機器ハード選択情報受信手段を備え、前記キー印刷手段は、前記キー印刷情報作成手段により作成されたキー印刷情報に従って、前記機器ハード受信手段により受信された電子機器ハードウエアの製造ラインでキー印刷を行い、前記データ書き込み手段は、前記機器ハード受信手段により受信された電子機器ハードウエアの製造ラインで前記辞典名受信手段により受信された辞典名に対応する辞典データおよび前記キー入力処理データ作成手段により作成されたキー入力処理データの書き込みを行う、ようにしたので、顧客希望の電子機器ハードウエアをベースモデルとし、このベースモデルの製造ラインに対して該顧客希望の辞典とそのキー配列に従ったキー印刷と、辞典データおよびキー入力処理データの書き込みを行うことで、顧客希望のハードウエアに希望の辞典データを収録しキー配列を設定した電子辞典などの電子機器を容易に受注生産できるようになる。
【０１６３】
よって、本発明によれば、ユーザ個々人で選択した辞典内容とキー配列からなるモデルを容易に製造することが可能になる電子機器の製造システム、製造処理プログラム、製造処理方法を提供できる。
【図面の簡単な説明】
【図１】本発明の電子機器の製造システムの実施形態に係る製造サーバ１０に基づいた電子辞典受注生産システムの全体の構成を示す図。
【図２】前記電子機器の製造サーバ１０に基づいて受注生産された名刺サイズ電子辞典４０Ａの外観構成を示す正面図。
【図３】前記電子機器の製造サーバ１０に基づいて受注生産された大画面音声なし電子辞典４０Ｂの外観構成を示す正面図。
【図４】前記電子機器の製造サーバ１０に基づいて受注生産された大画面音声付き電子辞典４０Ｃの外観構成を示す正面図。
【図５】前記電子辞典受注生産システムにおける製造サーバ１０の電子回路の構成を示すブロック図。
【図６】前記製造サーバ１０のベースモデルメモリ１２Ｄに記憶される印刷位置テーブル１２ｄ１のデータ内容を示す図。
【図７】前記製造サーバ１０のベースモデルメモリ１２Ｄに記憶されるキー入力並び順データ１２ｄ２のデータ内容を示す図。
【図８】前記製造サーバ１０の製品データメモリ１２Ｅに記憶されるＲＯＭ書き込みデータ１２ｅ３のデータ内容を示す図。
【図９】前記電子辞典受注生産システムにおける受注生産全体処理を示すフローチャートであり、同図（Ａ）はそのユーザ端末処理を示すフローチャート、同図（Ｂ）はその製造サーバ処理を示すフローチャート。
【図１０】前記電子辞典受注生産システムのユーザ端末処理及び製造サーバ処理に伴うカスタマイズ選択処理を示すフローチャートであり、同図（Ａ）はユーザ端末２０側でのカスタマイズ選択処理を示すフローチャート、同図（Ｂ）は製造サーバ１０側でのカスタマイズ選択処理を示すフローチャート。
【図１１】前記製造サーバ１０でのカスタマイズ選択処理に伴うレーザマーキング印刷データの作成処理を示すフローチャートであり、同図（Ａ）はケース印刷データの作成処理を示すフローチャート、同図（Ｂ）はキー印刷データの作成処理を示すフローチャート。
【図１２】前記電子辞典受注生産システムの製造サーバ１０により開設されているカスタマイズ辞典ＨＰ画面Ｇ１（同図（Ａ））およびこのカスタマイズ辞典ＨＰ画面Ｇ１に従いユーザ端末２０へ提供表示される辞典選択画面Ｇ２（同図（Ｂ））および辞典選択に伴うメモリ容量不足メッセージ画面Ｇ２ａ（同図（Ｃ））を示す図。
【図１３】前記電子辞典受注生産システムでのカスタマイズ選択処理に伴いユーザ端末２０へ提供表示されるキーボード・メニュー画面を示す図であり、同図（Ａ）は選択された辞典に応じた標準キーボード・メニュー画面Ｇ３を示す図、同図（Ｂ）は標準からの変更を要する修正キーボード・メニュー画面Ｇ４を示す図。
【図１４】前記電子辞典受注生産システムでのカスタマイズ選択処理に伴いユーザ端末２０へ提供表示されるカスタマイズ辞典の作成依頼画面Ｇ５を示す図。
【図１５】前記電子辞典受注生産システムのメーカファクトリＦＡにおける製造サーバ１０による各顧客対応の電子辞典生産指令処理を示すフローチャート。
【図１６】前記電子辞典受注生産システムのメーカファクトリＦＡにおける「大画面音声付き」電子辞典４０Ａに対するキー印刷・ケース印刷前のキー入力ケース部４１を示す図。
【図１７】前記電子辞典受注生産システムのメーカファクトリＦＡにおける「大画面音声付き」電子辞典４０Ａのキー入力ケース部４１に対するケース印刷状態を示す図。
【図１８】前記電子辞典受注生産システムのメーカファクトリＦＡにおける「大画面音声付き」電子辞典４０Ａのキー入力ケース部４１に対するキー印刷状態を示す図。
【図１９】前記電子辞典受注生産システムの製造サーバ１０に基づき受注生産された独語ユーザ向け電子辞典４０Ｇの外観構成を示す正面図。
【図２０】前記電子辞典受注生産システムの製造サーバ１０に基づき受注生産された韓国語ユーザ向け電子辞典４０Ｋの外観構成を示す正面図。
【符号の説明】
１０  …製造サーバ
１１  …ＣＰＵ(central processing unit)
１２  …メモリ
１２Ａ…プログラムメモリ
１２ａ…製造サーバ処理プログラム
１２Ｂ…購入情報メモリ
１２ｂ１、１２ｅ１…製品ＩＤ
１２ｂ２、１２ｃ１、１２ｅ２…顧客ＩＤ
１２ｂ３…電子辞典ハードの種類
１２ｂ４…辞典ソフト名
１２ｂ５…キー配列変更の有無と配列内容
１２ｂ６…メニュー内辞典変更の有無と配列内容
１２Ｃ…顧客情報メモリ
１２ｃ２…氏名
１２ｃ３…住所
１２ｃ４…クレジットカード番号
１２Ｄ…ベースモデルメモリ
１２ｄ１…印刷位置テーブル
１２ｄ２…キー入力並び順データ
１２Ｅ…製品データメモリ
１２ｅ３…ＲＯＭ書き込みデータ
１２ｅ４…レーザ印刷データ
１３  …外部記録媒体
１４  …記録媒体読取部
１５  …電送制御部
１６  …入力部
１７  …表示部
２０  …ユーザ端末（ＰＣ）
３０ＬＡ〜３０ＬＣ…第１製造ライン〜第３製造ライン
３０Ａ〜３０Ｃ…ケース印刷／キー印刷部
３１Ａ〜３１Ｃ…マルチタイムＰＲＯＭ書き込み部
３２Ａ〜３２Ｃ…送付先ラベル添付部
４０Ａ〜４０Ｃ…名刺サイズ電子辞典
４０Ｋ…韓国語ユーザ向け電子辞典
４０Ｇ…独語ユーザ向け電子辞典
４１  …キー入力ケース部
４２  …表示画面ケース部
４３  …ヒンジ部
４４  …キー入力パネル
４４ａ…文字・記号入力キー群
４４ｂ…検索内容切替指定キー群
４４ｃ…選択／決定機能キー群
４４ｓ…シフトキー
４４▲１▼〜４４▲６▼…検索辞典指定キー
▲１▼ａ〜▲６▼ａ…キートップエリア（ダイレクト操作で機能）
▲１▼ｂ〜▲６▼ｂ…ケース面エリア（シフト同時操作で機能）
４５  …液晶表示画面
Ｎ  …通信ネットワーク（インターネット）
ＦＡ  …電子辞典メーカファクトリ
Ｇ１  …カスタマイズ辞典ＨＰ画面
Ｇ２  …辞典選択画面
Ｇ２ａ…メモリ容量不足メッセージ画面
Ｇ３  …標準キーボード・メニュー画面
Ｇ４  …修正キーボード・メニュー画面
Ｇ５  …カスタマイズ辞典の作成依頼画面
Ｍｃａｓｅ…ケース印刷データ
Ｍｋｅｙ…キー印刷データ
【図１】
0004019978.tif 000002
【図２】
0004019978.tif 000003
【図３】
0004019978.tif 000004
【図４】
0004019978.tif 000005
【図５】
0004019978.tif 000006
【図６】
0004019978.tif 000007
【図７】
0004019978.tif 000008
【図８】
0004019978.tif 000009
【図９】
0004019978.tif 000010
【図１０】
0004019978.tif 000011
【図１１】
0004019978.tif 000012
【図１２】
0004019978.tif 000013
【図１３】
0004019978.tif 000014
【図１４】
0004019978.tif 000015
【図１５】
0004019978.tif 000016
【図１６】
0004019978.tif 000017
【図１７】
0004019978.tif 000018
【図１８】
0004019978.tif 000019
【図１９】
0004019978.tif 000020
【図２０】
0004019978.tif 000021